(57)【要約】【課題】  デフロスト回路に設ける開閉弁に作用する圧力を低くすることにより、開閉弁の耐久性の向上、コストの低減を図った２段圧縮冷凍サイクル装置を備えた冷凍装置を提供すること。【解決手段】  本冷凍装置は、圧縮機、高圧側ガス冷媒を冷却する高圧ガス冷却器、絞り装置、低圧液冷媒を蒸発させる蒸発器を順次接続してなる２段圧縮冷凍サイクル装置を備え、さらに、この２段圧縮冷凍サイクル装置は、冷凍サイクル内の中間圧力ガス部と蒸発器入口側との間に開閉弁を介して接続するデフロスト回路を有する。【選択図】        図１
2005214575.tif 000002
【特許請求の範囲】
【請求項１】
２段圧縮型の圧縮機、高圧側ガス冷媒を冷却する高圧ガス冷却器、絞り装置、低圧液冷媒を蒸発させる蒸発器を順次接続してなる２段圧縮冷凍サイクル装置を備え、さらに、この２段圧縮冷凍サイクル装置は、冷凍サイクル内の中間圧力部と蒸発器入口側との間に開閉弁を介して接続するデフロスト回路を設けてなることを特徴とする冷凍装置。
【請求項２】
低段側圧縮機部と高段側圧縮機部とを有し、低段側圧縮機部の吐出ガスが密閉ケーシング内に吐出されるとともに、密閉ケーシング内の冷媒が高段側圧縮機部に吸入されるように構成された２段圧縮機、高圧側ガス冷媒を冷却する高圧ガス冷却器、第１絞り装置、冷凍サイクル内の冷媒量を調節する中間圧レシーバ、第２絞り装置、蒸発器、気液分離器を順次直列に接続するとともに、超臨界冷凍サイクルで運転されるように構成された２段圧縮冷凍サイクル装置を備え、さらに、この冷凍サイクル装置は、中間圧レシーバ内の中間圧のガス冷媒を２段圧縮機のケーシング内にバイパスする中間圧冷媒バイパス回路と、低段側圧縮機部の吐出側と蒸発器の入口側とを開閉弁を開始して接続するデフロスト回路とを備えてなることを特徴とする冷凍装置。
【請求項３】
圧縮工程の中間部にガスインジェクションポートを有する圧縮機、高圧側ガス冷媒を冷却する高圧ガス冷却器、第１絞り装置、冷凍サイクル内の冷媒量を調節する中間圧レシーバ、第２絞り装置、蒸発器、気液分離器を順次直列に接続するとともに、超臨界冷凍サイクルで運転されるように構成された２段圧縮冷凍サイクル装置を備え、さらに、この２段圧縮冷凍サイクル装置は、中間圧レシーバのガス部とガスインジェクションポートとを接続する中間圧冷媒バイパス回路と、中間圧レシーバのガス部と蒸発器の入口側とを開閉弁を介して接続するデフロスト回路を備えてなることを特徴とする冷凍装置。
【請求項４】
冷凍サイクル装置の構成機器である中間圧レシーバは、運転条件の変化による余剰冷媒を貯留し得る容積を有することを特徴とする請求項２又は３記載の冷凍装置。
【請求項５】
冷凍サイクル装置は、二酸化炭素が冷媒として充填されていることを特徴とする請求項１〜４の何れか１項に記載の冷凍装置。
【請求項６】
冷凍サイクル装置は、高圧ガス冷却器により水を加熱するように構成されていることを特徴とする請求項５記載の冷凍装置。
【発明の詳細な説明】
【技術分野】
【０００１】
本発明は、冷凍装置に関し、特に、２段圧縮冷凍サイクル装置を備えた冷凍装置における蒸発器のデフロストに関する。
【背景技術】
【０００２】
近年、オゾン層破壊の問題及び給湯装置における給湯の高温化ニーズへの対応のために、二酸化炭素などの超臨界冷凍サイクルで冷凍運転される自然冷媒が注目を浴びている。また、このような超臨界サイクル冷凍運転を行う冷凍装置では高低圧力差が大きくなることから２段圧縮冷凍サイクル装置が用いられるようになってきている。
【０００３】
ところで、従来、２段圧縮冷凍サイクル装置における蒸発器のデフロスト回路は、例えば特許文献１のように、２段圧縮機の吐出側を開閉弁を介して蒸発器の入口側に接続するホットガスデフロスト流路を設けている。このようなホットガスデフロスト流路を、２段圧縮機の高低圧力差が大きくなるような冷凍サイクル装置に適用すると、ホットガスデフロスト流路に設置しなければならない開閉弁のシール部材の破損、弁箱の強度等の耐久性が問題となる。また、このような耐久性を解決しようとすると、コストが著しく上昇するという問題が発生する。
【特許文献１】特開平１１−２９４９０６号公報
【発明の開示】
【発明が解決しようとする課題】
【０００４】
本発明は、このような従来技術の課題を解決するためになされたものであって、デフロスト回路に設ける開閉弁に作用する圧力を低くすることにより、開閉弁の耐久性の向上、コストの低減を図った２段圧縮冷凍サイクル装置を備えた冷凍装置を提供することを目的とする。
【課題を解決するための手段】
【０００５】
本発明に係る第１の解決手段に係る冷凍装置は、圧縮機、高圧側ガス冷媒を冷却する高圧ガス冷却器、絞り装置、低圧液冷媒を蒸発させる蒸発器を順次接続してなる２段圧縮冷凍サイクル装置を備え、さらに、この２段圧縮冷凍サイクル装置は、冷凍サイクル内の中間圧力ガス部と蒸発器入口側との間に開閉弁を介して接続するデフロスト回路を設けてなることを特徴とする。
【０００６】
また、本発明に係る第２の解決手段に係る冷凍装置は、低段側圧縮機部と高段側圧縮機部とを有し、低段側圧縮機部の吐出ガスが密閉ケーシング内に吐出されるとともに、密閉ケーシング内の冷媒が高段側圧縮機部に吸入されるように構成された２段圧縮機、高圧側ガス冷媒を冷却する高圧ガス冷却器、第１絞り装置、冷凍サイクル内の冷媒量を調節する中間圧レシーバ、第２絞り装置、蒸発器、気液分離器を順次直列に接続するとともに、超臨界冷凍サイクルで運転されるように構成された２段圧縮冷凍サイクル装置を備え、さらに、この冷凍サイクル装置は、中間圧レシーバ内の中間圧のガス冷媒を２段圧縮機のケーシング内にバイパスする中間圧冷媒バイパス回路と、低段側圧縮機部の吐出側と蒸発器の入口側とを開閉弁を開始して接続するデフロスト回路とを備えてなることを特徴とする。
【０００７】
また、本発明に係る第３の解決手段に係る冷凍装置は、圧縮工程の中間部にガスインジェクションポートを有する圧縮機、高圧側ガス冷媒を冷却する高圧ガス冷却器、第１絞り装置、冷凍サイクル内の冷媒量を調節する中間圧レシーバ、第２絞り装置、蒸発器、気液分離器を順次直列に接続するとともに、超臨界冷凍サイクルで運転されるように構成された２段圧縮冷凍サイクル装置を備え、さらに、この２段圧縮冷凍サイクル装置は、中間圧レシーバのガス部とガスインジェクションポートとを接続する中間圧冷媒バイパス回路と、中間圧レシーバのガス部と蒸発器の入口側とを開閉弁を介して接続するデフロスト回路を備えてなることを特徴とする。
【０００８】
上記の各解決手段において、冷凍サイクル装置の構成機器である中間圧レシーバは、運転条件の変化による余剰冷媒を貯留し得る容積を有することが好ましい。
【０００９】
また、前記冷凍サイクル装置は、二酸化炭素が冷媒として充填されているものとしてもよい。
【００１０】
また、前記冷凍サイクル装置は、冷凍サイクル装置は、高圧ガス冷却器により水を加熱するように構成されたものとしてもよい。
【発明の効果】
【００１１】
本発明に係る第１の課題解決手段に係る冷凍装置は、２段圧縮冷凍サイクル装置における冷凍サイクル内の中間圧力ガス部と蒸発器入口側との間に開閉弁を介して接続するデフロスト回路を設けているので、デフロスト運転時、開閉弁を開くことにより、中間圧の高温のガス冷媒が蒸発器に導かれて短時間でデフロストが行われる。また、デフロスト運転時は、開閉弁の入口に２段圧縮冷凍サイクルにおける吐出ガスが作用せず、中間ガス圧力が作用するので、開閉弁に作用する圧力は従来に比し低くなる。このため、開閉弁の耐圧性能を低くすることが可能となり、信頼性の向上及びコストの軽減を図ることが可能となる。
【００１２】
また、本発明に係る第３の課題解決手段に係る冷凍装置は、低段側圧縮機部と高段側圧縮機部とを有し、低段側圧縮機部の吐出ガスが密閉ケーシング内に吐出されるとともに、密閉ケーシング内の冷媒が高段側圧縮機部に吸入されるように構成された２段圧縮機を備え、第１絞り装置と第２絞り装置との間の中間圧レシーバにおいて気液分離された中間圧のガス冷媒を２段圧縮機のケーシング内にバイパスする２段圧縮冷凍サイクルにおいて、低段側圧縮機部の吐出側と蒸発器の入口側とを開閉弁を介して接続するデフロスト回路とを設けているので、デフロスト運転時、開閉弁を開くことにより、圧縮機内で中間圧に圧縮された高温ガス冷媒が蒸発器に導かれて短時間でデフロストが行われる。また、デフロスト運転時は、開閉弁の入口には２段圧縮冷凍サイクルにおける吐出ガスが作用せず、低段側圧縮機部から吐出された中間ガス圧力が作用する。したがって、開閉弁に作用する圧力は従来に比し低くなり、開閉弁の耐圧性能を低くすることが可能となり、信頼性の向上及びコストの軽減を図ることができる。
【００１３】
また、本発明に係る第３の課題解決手段に係る冷凍装置は、圧縮工程の中間部にガスインジェクションポートを有する圧縮機を備え、第１絞り装置と第２絞り装置との間の中間圧レシーバで気液分離された中間圧のガス冷媒を圧縮機のガスインジェクションポートにバイパスする２段圧縮冷凍サイクルにおいて、中間圧レシーバのガス部と蒸発器の入口側とを開閉弁を介して接続するデフロスト回路を備えているので、デフロスト運転時、開閉弁を開くことにより、中間圧レシーバから中間圧の高温のガス冷媒が蒸発器に導かれて短時間でデフロストが行われる。また、デフロスト運転時は、開閉弁の入口には２段圧縮冷凍サイクルにおける吐出ガスが作用せず、第１絞り装置で減圧された中間ガス圧力が作用する。したがって、開閉弁に作用する圧力は従来に比し低くなり、開閉弁の耐圧性能を低くすることが可能となり、信頼性の向上及びコストの軽減を図ることができる。
【００１４】
また、上記冷凍サイクル装置の構成機器である中間圧レシーバは、運転条件の変化による余剰冷媒を貯留し得る容積を有するようにすれば、低圧が低くなるデフロスト運転時に中間圧レシーバに十分な液冷媒が貯留されているので、所定中間圧力のガス冷媒を蒸発器の入口側に安定的に供給することができ、効率よくデフロスト運転を行うことができる。
【００１５】
また、上記冷凍サイクル装置に、冷媒として二酸化炭素を充填している場合は、高圧ガス冷却器で高温高圧のガス冷媒を熱源として高温の温水、給湯水などを供給可能としながら、デフロスト回路に設ける開閉弁の耐久性、信頼性を向上させることができる。
【発明を実施するための最良の形態】
【００１６】
以下、各実施例について図面に基づき説明する。
【実施例１】
【００１７】
図１〜図３に基づき本発明の実施例１を説明する。
図１は実施例１に係る冷凍装置の冷媒回路図である。図２は同冷凍装置における超臨界冷凍サイクルのモリエル線図である。図３は同冷凍装置の蒸発器及び気液分離器周りの構成図である。
【００１８】
図１に示すように、実施例１に係る冷凍サイクル装置は、圧縮機１、高温の高圧側ガス冷媒を冷却するとともに室内空気、暖房用温水、給湯水などの被加熱流体を加熱する高圧ガス冷却器２、第１絞り装置３、冷凍サイクル内の冷媒量を調節する中間圧レシーバ４、第２絞り装置５、外気から熱を汲み上げる蒸発器６、気液分離器７を順次直列に接続して冷凍サイクル装置を形成している。また、この冷凍サイクル装置は、冷媒回路内に二酸化炭素が冷媒として充填され、２段圧縮の超臨界冷凍サイクルで運転される装置として構成されている。
【００１９】
圧縮機１は、密閉ケーシング１１内に低段側圧縮機部１２、高段側圧縮機部１３、電動機などを収納し、密閉ケーシング１１内に低段側圧縮機部１２の吐出ガスを吐出し、高段側圧縮機部１３にこの中間圧ガス冷媒を吸入させるように形成した所謂内部中間圧ドーム型２段圧縮機である。また、この２段圧縮機１はインバータにより回転数可変に形成されている。
【００２０】
高圧ガス冷却器２は、高段側圧縮機部１３から吐出された吐出ガスを冷却する熱交換器である。なお、この冷凍サイクル装置は超臨界冷凍サイクル装置を形成しているので、この高圧ガス冷却器２では冷媒は凝縮されない。また、高圧ガス冷却器２は、温水暖房装置の場合暖房用温水を加熱し、温風暖房装置の場合室内空気を加熱し、給湯装置の場合給湯水を加熱するように構成される。
【００２１】
第１絞り装置３及び第２絞り装置５としてはそれぞれ電動膨張弁が用いられている。
中間圧レシーバ４は、冷凍サイクル装置内の冷媒量を調節するものであって、第１絞り装置３及び第２絞り装置５の開度制御により圧力が臨界点以下となるように制御される。これにより中間圧レシーバ４内に超臨界冷凍サイクルの余剰冷媒が液冷媒として貯留される。
【００２２】
蒸発器６は、外気を熱源として熱交換する熱交換器であって、低圧液冷媒が蒸発することにより外気から熱を汲み上げて冷媒自身が蒸発する。また、この蒸発器６は、蒸発器６中間の冷媒温度を検出する冷媒温度センサー６１と、蒸発器６出口の冷媒温度を検出する冷媒温度センサー６２とを有している。なお、この両冷媒温度センサー６１、６２が検出する冷媒温度の温度差により、蒸発器６出口における冷媒の過熱度が検出される。また、前記第１絞り装置３及び第２絞り装置５の少なくとも一方は、蒸発器６出口の冷媒が過熱状態となるように開度制御される。
また、この蒸発器６は、冷媒が上部から下方に向かって流れるように、熱交換パイプ６５が上方から下方に向かって蛇行するように形成されている（図３参照）。なお、図１及び図３において、符号６３は冷媒入口であり、符号６４は冷媒出口である。
【００２３】
また、上記超臨界冷凍サイクルには、中間圧レシーバ４のガス部４１と圧縮機１の密閉ケーシング１１内とを接続する中間圧冷媒バイパス回路８が設けられている。これにより、中間圧レシーバ４内の中間圧のガス冷媒が、圧縮工程の中間圧力部である、圧縮機１の密閉ケーシング１１内にバイパスされる。なお、この中間圧冷媒バイパス回路８には流量調整用のキャピラリーチューブ８１と圧縮機１から中間圧レシーバ４への冷媒流れを阻止する逆止弁８２とが設けられている。
また、この超臨界冷凍サイクルには、圧縮機１の密閉ケーシング１１内と蒸発器入口側とを開閉弁９１を介し接続するデフロスト回路９が設けられている。この開閉弁９１は通常運転中は閉塞され、デフロスト運転時に開放される。
【００２４】
気液分離器７は、円筒状などの適宜形状の密閉容器であって、この容器の下部に冷媒入口７１を備え、上部に冷媒出口７２を備えている。また、この気液分離器７は、図３に示すように、蒸発器６の冷媒出口６４に対し冷媒入口７１が所定ヘッド差Ｈ１高くなる位置に設けられている。また、気液分離器７の冷媒入口７１と蒸発器６の冷媒出口６４とをつなぐ配管７３、すなわち、気液分離器７から蒸発器６への液冷媒の戻り配管７３の断面積を、大径の配管を使用するなどして、圧縮機吸入配管１４の断面積より大きく構成している。
【００２５】
以上のように構成された超臨界冷凍サイクルの通常運転時の作動について、図２のモリエル線図に基づいて説明する。このモリエル線図上の各点を表示する符合は、図１の冷媒回路に付された回路上の各符号の位置における冷媒の状態を示すように対応して示している。なお、以下の説明において、モリエル線図の各点を表示する符合を併記する。
【００２６】
２段圧縮機１の低段側圧縮機部１２では、気液分離器７出口側の低圧ガス冷媒ａ１が吸入されて圧縮される。低段側圧縮機部１２で圧縮された中間圧ガス冷媒ｂ１が密閉ケーシング１１内に吐出される。この密閉ケーシング１１内では、中間圧レシーバ４において気液分離された中間圧ガス冷媒ｇ１と低段側圧縮機部１２の吐出ガスｂ１とが混合されてガス冷媒ｃ１となる。高段側圧縮機部１３は、この混合冷媒ｃ１を吸入して高圧冷媒ｄ１となって２段圧縮機１から吐出される。
【００２７】
２段圧縮機１から吐出された高圧冷媒ｄ１は高圧ガス冷却器２で室内空気、暖房用温水、給湯水などの被加熱流体を加熱することにより冷却される。冷却された高圧ガス冷媒ｅ１は、第１絞り装置３により膨張され臨界点以下の圧力の気液混合冷媒ｆ１となって中間圧レシーバ４に流入する。この気液混合冷媒ｆ１は中間圧レシーバ４内で気液分離される。中間圧レシーバ４内で気液分離された中間圧ガス冷媒ｇ１は前述のように中間圧冷媒バイパス回路８を通って２段圧縮機１の密閉ケーシング１１内に流れ込む。
【００２８】
一方、中間圧レシーバ４で気液分離された液冷媒ｈ１は、第２絞り装置５で減圧され、低圧の気液混合冷媒ｉ１となって、蒸発器６に流入する。蒸発器６に流入した低圧の気液混合冷媒ｉ１は、外気と熱交換して（外気から熱を汲み上げて）蒸発し、低圧ガス冷媒ｊ１となって気液分離器７に流入する。また、気液分離器７を流出した低圧ガス冷媒ｊ１、すなわち、低圧ガス冷媒ａ１は前述のように低段側圧縮機部１２に吸入される。
【００２９】
このような超臨界冷凍サイクルにおいて、第１絞り装置３及び第２絞り装置５の少なくとも一方は、蒸発器６の出口冷媒が過熱状態となるように制御される。また、このとき冷媒の過熱度は、蒸発器６の中間部に設けられた冷媒温度センサー６１の検出する冷媒温度と蒸発器６の出口側に設けられた冷媒温度センサー６２が検出する冷媒温度との差温が一定となるように制御することにより、蒸発器６出口側の冷媒が一定の過熱度を有するように制御される。
【００３０】
また、上記冷凍サイクル装置において、冬季長時間運転を停止していたときは、外気に触れる蒸発器６や気液分離器７において冷媒が凝縮液化する。しかしながら、気液分離器７で凝縮液化した冷媒は、気液分離器７の冷媒入口７１が蒸発器６の冷媒出口６４に対し所定高さＨ１だけ高く形成されていることにより、蒸発器６に戻される。また、気液分離器７内から蒸発器６に戻った液冷媒や蒸発器６で液化した液冷媒は蒸発器６内に貯留される。したがって、この状態で起動した場合、蒸発器６から液冷媒が流出するが、この液冷媒は気液分離器７で気液分離されるので、圧縮機１には液冷媒が戻ることがない。
【００３１】
実施例１に係る冷却装置は、以上のように構成されているので、通常運転時に次のような効果を奏する。
（１）  実施例１に係る冷凍装置は、冷凍サイクル装置内の冷媒量を調節する中間圧レシーバ４が中間圧状態となる第１絞り装置３と第２絞り装置５との間に設けられているので、低圧側回路に液冷媒を貯留させることなく冷凍サイクル装置内の冷媒量の調節を行うことができる。したがって、通常運転時においては、蒸発器６出口を湿り状態とする必要がない、また、長期間の停止により冷媒が寝込んでいるような場合における起動時や、デフロスト運転直後の通常運転への切換時のような過渡期を除いて、蒸発器６から液冷媒が流出する運転を防止することが可能になる。また、中間圧力下、中間圧レシーバ４で余剰冷媒を貯留するため、冷媒を貯留する中間圧レシーバ４の容積を小容量化することができる。
【００３２】
（２）  また、実施例１においては、蒸発器６出口の冷媒が過熱状態となるように第１絞り装置３及び第２絞り装置５の少なくとも一方を制御することにより、中間圧レシーバ４に余剰冷媒を貯留させながら圧縮機１への液戻りを防止した冷媒制御を行うことができる。
【００３３】
（３）  また、蒸発器６中間の冷媒温度を検出する冷媒温度センサー６１と蒸発器出口の冷媒温度を検出する冷媒温度センサー６２とを有し、両冷媒温度センサー６１、６２により検出される温度差に基づき蒸発器６出口の過熱度を検出するようにしているので、通常運転時の蒸発器６出口における冷媒の過熱度を確実に検知することができる。
【００３４】
（４）  また、中間圧レシーバ４内の中間圧のガス冷媒を圧縮機１の密閉ケーシング１１内にバイパスする中間圧冷媒バイパス回路８を設けているので、バイパスされる中間圧ガス冷媒が圧縮機内の圧力を上げる。この結果、圧縮仕事量が軽減され、システムの成績係数が向上する。
【００３５】
（５）  この場合において、圧縮機１は、２段圧縮機に構成され、低段側圧縮機部１２の吐出ガスを密閉ケーシング１１内に吐出する所謂内部中間圧ドーム型圧縮機であるので、中間圧冷媒バイパス回路８を容易に形成することができる。
【００３６】
（６）  また、実施例１に係る冷凍装置では、気液分離器７が蒸発器６の出口側に設けられており、特に、気液分離器７で分離された液冷媒が蒸発器６に戻るように形成されているので、前述の運転開始時などの過渡期においても圧縮機１へ液戻りすることがない。
【００３７】
（７）  また、気液分離器７の冷媒入口７１が蒸発器６の冷媒出口６４に比し高い位置となるように、気液分離器７が設けられているので、運転中及び運転停止中において、気液分離器７にガス冷媒とともに流入した液冷媒又は気液分離器７で液化した液冷媒は気液分離され重力により蒸発器６に戻される。したがって、気液分離器７から蒸発器６へ冷媒を戻すための動力が不要となり、その構成が簡略化される。また、運転停止時に何も運転することなく気液分離器７の液冷媒が必ず蒸発器６に戻されているので、起動時等の過渡期における圧縮機１への液戻りを確実に防止することができる。また、気液分離器７に液冷媒がない状態から再起動されるため、吐出温度の上昇が早く、立ち上がり時間が短縮される。
【００３８】
（８）  また、蒸発器６の冷媒出口６４と気液分離器７の冷媒入口７１とをつなぐ配管７３、すなわち、気液分離器７から蒸発器６への液冷媒の戻り配管７３の断面積を、圧縮機吸入配管１４の断面積より大きく構成しているので、戻り配管７３を気液分離器７の一部として考えることができ、それだけ気液分離器７の容積を小さくすることができる。
【００３９】
（９）  また、中間圧レシーバ４の容積を、運転条件の変化による冷凍サイクル装置内の余剰冷媒を貯留し得る大きさとしているので、常に最適の冷媒量の状態で冷凍サイクル装置を運転することができ、運転成績係数を向上させることができる。
【００４０】
（１０）  また、上記冷凍サイクル装置に充填する冷媒を二酸化炭素としているので、可燃性、毒性のない安全な冷媒を使用しながら高圧側のガス冷媒温度が高くなる超臨界冷凍サイクルでの運転を行うことができる。
【００４１】
（１１）  また、高圧ガス冷却器２により暖房用温水、給湯水などの水を加熱する装置として構成した場合は、高温の暖房用温水や高温の給湯水を供給することができる。
【００４２】
次に、上記２段圧縮冷凍サイクル装置におけるデフロスト運転について説明する。
上記２段圧縮冷凍サイクル装置において、外気低温状態で通常の運転が継続されると蒸発器６がフロストを始める。また、フロストが始まることにより蒸発器６の熱交換効率が低下し、低圧圧力及び高圧圧力が次第に低下する。この結果、中間圧レシーバ４内に貯留される液冷媒量が増加し、フロストが所定量になったときにデフロストが行われる。
【００４３】
デフロスト運転は、デフロスト回路９の開閉弁９１を開いて、低段側圧縮機部１２の吐出ガス冷媒をデフロスト回路９の開閉弁９１を介し蒸発器６の入口側にバイパスし、中間圧力のガス冷媒の有する潜熱により蒸発器６を加熱するように行われる。
【００４４】
このとき、高段側圧縮機部１３から吐出された一部の冷媒は、高圧ガス冷却器２、第１絞り装置３、中間圧レシーバ４のガス部４１、キャピラリーチューブ８１、逆止弁８２、中間圧冷媒バイパス回路８を介してデフロスト回路９に流れ込むが、第１絞り装置３の開度を調節することにより、中間圧冷媒バイパス回路８を介してデフロスト回路９への冷媒流量が調節される。また、デフロスト運転時、第２絞り装置５の開度を調節することにより、中間圧レシーバ４内の液冷媒が蒸発器６側への流れことが防止される。
したがって、デフロスト運転を行うと、蒸発器６内には中間圧の高温冷媒が供給され、蒸発器６で温度が下がり低圧となる。またデフロスト運転時において、低段側圧縮機部１２からデフロスト回路に吐出される吐出量が減少し、低段側圧縮機部１２からの吐出圧力が低下すると圧力差で中間圧レシーバ４内の液冷媒が放出される。これにより、中間圧冷媒バイパス回路８からデフロスト回路９への冷媒流量が増加され、蒸発器６への中間圧力のガス冷媒の冷媒流量が安定化される。また、このようにデフロスト運転が行われることにより、開閉弁９１には、２段圧縮冷凍サイクルの吐出ガス冷媒が流入せず、中間圧力のガス冷媒が作用することになり、開閉弁９１の耐圧性能を低くすることが可能となる。
【００４５】
また、上記冷凍サイクル装置において、蒸発器６をデフロスト運転した後に通常の運転に戻るときは蒸発器６から一部液冷媒が流出するが、気液分離器７により気液分離されるので、圧縮機１に液冷媒の戻る心配がない。
【実施例２】
【００４６】
次に実施例２について、図４及び図５に基づき説明する。なお、図４は実施例２に係る冷凍装置の冷媒回路図である。図５は同冷凍サイクル装置による超臨界冷凍サイクルのモリエル線図である。
実施例２は、実施例１において、圧縮機１をガスインジェクションポートを備えた圧縮機３００とし、さらに、蒸発器６と気液分離器７との間に高圧ガス冷媒と低圧冷媒とを熱交換する熱交換器３０３を設けたものである。
【００４７】
圧縮機３００は、圧縮工程の中間圧力部にガスインジェクションポート３０２を有する圧縮機であり、密閉ケーシング３０１内には高圧ガス冷媒が導入されている。また、中間圧冷媒バイパス回路８が中間圧レシーバ４のガス部４１とガスインジェクションポート３０２との間に設けられている。なお、圧縮機３００のガスインジェクションポート３０２からは中間圧力のガス冷媒が中間圧冷媒バイパス回路８へ流出することがないように構成されている。したがって、この中間圧冷媒バイパス回路８には、実施例１のように逆止弁８２が設けられていなくて、冷媒流量調節用のキャピラリーチューブ８１のみが設けられている。また、熱交換器３０３は、蒸発器６出口の低圧冷媒と高圧ガス冷却器２出口側の高圧ガス冷媒とを熱交換させるように構成されている。
なお、その他の構成は、実施例１と同一である。
【００４８】
次に、上記のように構成される実施例２について、図５のモリエル線図に基づいて説明する。このモリエル線図上の各点を表示する符合は、図４の冷媒回路に付された回路上の位置における冷媒の状態を示すように対応して示されている。
【００４９】
まず、通常運転時における冷凍サイクルについて説明する。なお、この説明にはモリエル線図の各点を表示する符合を併記する。
圧縮機３００では、気液分離器７出口側の低圧ガス冷媒ａ２が吸入されて圧縮される。一方中間圧レシーバ４において気液分離された中間圧ガス冷媒ｈ２が圧縮機３００のガスインジェクションポート３０２から圧縮機３００内の圧縮工程途中に導入される。したがって、圧縮機３００で中間圧まで圧縮されたガス冷媒ｂ２はガスインジェクションポート３０２から導入される中間圧ガス冷媒ｈ２と混合して混合冷媒ｃ２となる。さらに、この混合冷媒ｃ２は圧縮されて、密閉ケーシング３０１内に吐出される。この密閉ケーシング３０１内から高圧ガス冷媒ｄ２となって冷媒回路内に吐出される。
【００５０】
圧縮機３００から吐出された高圧ガス冷媒ｄ２は、高圧ガス冷却器２で室内空気、暖房用温水、給湯水などの被加熱流体を加熱することにより冷却される。高圧ガス冷却器２で冷却された高圧ガス冷媒ｅ２は熱交換器３０３でさらに冷却される。高圧ガス冷却器２で冷却された高圧ガス冷媒ｆ２は、第１絞り装置３により膨張され臨界点以下の圧力の気液混合冷媒ｇ２となって中間圧レシーバ４に流入する。この気液混合冷媒ｇ２は中間圧レシーバ４内で気液分離される。中間圧レシーバ４内で気液分離された中間圧ガス冷媒ｈ２は前述のように中間圧冷媒バイパス回路８を通って圧縮機３００の密閉ケーシング３０１内に流れ込む。
【００５１】
一方、中間圧レシーバ４で気液分離された液冷媒ｉ２は、第２絞り装置５で減圧され、低圧の気液混合冷媒ｊ２となって蒸発器６に流入する。蒸発器６に流入した低圧の気液混合冷媒ｊ２は、外気と熱交換して外気から熱を汲み上げて蒸発し、湿り低圧冷媒ｋ２となって熱交換器３０３に流入する。熱交換器３０３に流入した湿り低圧冷媒ｋ２は、高圧ガス冷媒ｅ２と熱交換して加熱され、過熱された低圧ガス冷媒ｌ２となって気液分離器７に流入する。また、気液分離器７に流入した低圧ガス冷媒ｌ２、すなわち、低圧ガス冷媒ａ２は、気液分離器７を流出して圧縮機３００に吸入される。
【００５２】
このような超臨界冷凍サイクルにおいて、第１絞り装置３及び第２絞り装置５の少なくとも一方は、実施例１の場合と同様に、蒸発器６の出口冷媒が過熱状態となるように制御される。また、このとき冷媒の過熱度は、蒸発器６中間部の冷媒温度センサー６１の検出する冷媒温度と蒸発器６出口側の冷媒温度センサー６２が検出する冷媒温度との差温が一定となるように制御することにより、蒸発器６出口側の冷媒が一定の過熱度を有するように制御される。
【００５３】
また、上記冷凍サイクル装置において、冬季長時間運転を停止していた後に通常の運転を行うときは、蒸発器６から液冷媒が流出するが、実施例１の場合と同様に気液分離器７により気液分離されるので、圧縮機１に液冷媒の戻る心配がない。
【００５４】
実施例２に係る冷却装置は以上のように構成されているので、通常運転時において実施例１の場合と同様に、前述の（１）〜（４）、及び（６）〜（１１）の効果を奏することができる。
【００５５】
また、実施例２の場合は、蒸発器６と気液分離器７との間に高圧冷媒と低圧冷媒とを熱交換する熱交換器３０３を備えるので、蒸発器６の出口冷媒の温度が上昇し、圧縮機３００への液戻りをより一層確実に防止することができる。
【００５６】
次に、上記２段圧縮冷凍サイクル装置における蒸発器６のデフロスト運転について説明する。
上記２段圧縮冷凍サイクル装置において、外気低温状態で通常の運転が継続されると蒸発器６がフロストを始める。また、フロストが始まることにより蒸発器６の熱交換効率が低下し、低圧圧力及び高圧圧力が次第に低下する。この結果、中間圧レシーバ４内に貯留される液冷媒量が増加し、フロストが所定量になったときにデフロストが行われる。
【００５７】
デフロスト運転は、デフロスト回路９の開閉弁９１を開き、第１絞り装置３を開き第２絞り装置５を閉じることにより、圧縮機３００から吐出された高圧ガス冷媒が高圧ガス冷却器２、第１絞り装置３、中間圧レシーバ４のガス部４１、キャピラリーチューブ８１、中間圧冷媒バイパス回路８及びデフロスト回路９を介し、中間圧力のガス冷媒となって蒸発器６入口側にバイパスされる。これにより中間圧力のガス冷媒の潜熱による蒸発器６のデフロストが行われる。
【００５８】
また、このようにデフロスト運転が行われることにより、開閉弁９１には、２段圧縮冷凍サイクルの吐出ガス冷媒が流入せず、中間圧力のガス冷媒が作用することになり、開閉弁９１の耐圧性能を低くすることが可能となる。
【００５９】
また、上記冷凍サイクル装置において、蒸発器６をデフロスト運転した後に通常の運転に戻るときは蒸発器６から液冷媒が流出するが、気液分離器７により気液分離されるので、圧縮機１に液冷媒の戻る心配がない。さらに、蒸発器６と気液分離器７との間に高圧冷媒と低圧冷媒とを熱交換する熱交換器３０３を備えるので、蒸発器６の出口冷媒の温度が上昇し、圧縮機３００への液戻りをより一層確実に防止することができる。
【産業上の利用可能性】
【００６０】
以上詳述した冷凍装置は、広く一般の冷凍装置に利用できるが、特に、外気を熱源とするヒートポンプ式家庭用エアコン、業務用エアコン（パッケージエアコン）、外気熱源のヒートポンプ式温水装置、外気熱源のヒートポンプ式給湯装置などに利用されるものである。
【図面の簡単な説明】
【００６１】
【図１】本発明の実施例１に係る冷凍装置の冷媒回路図である。
【図２】同冷凍装置における超臨界冷凍サイクルのモリエル線図である。
【図３】同冷凍装置の蒸発器及び気液分離器周りの構成図である。
【図４】本発明の実施例２に係る冷凍装置の冷媒回路図である。
【図５】同冷凍装置における超臨界冷凍サイクルのモリエル線図である。
【符号の説明】
【００６２】
１  圧縮機
２  高圧ガス冷却器
３  第１絞り装置
４  中間圧レシーバ
５  第２絞り装置
６  蒸発器
７  気液分離器
８  中間圧冷媒バイパス回路
９  デフロスト回路
１１  密閉ケーシング
１２  低段側圧縮機部
１３  高段側圧縮機部
４１  ガス部
９１  開閉弁
３００  圧縮機
３０２  ガスインジェクションポート
３０３  熱交換器
【図１】
2005214575.tif 000003
【図２】
2005214575.tif 000004
【図３】
2005214575.tif 000005
【図４】
2005214575.tif 000006
【図５】
2005214575.tif 000007